(57)【要約】      （修正有）【課題】タイルの製造及び配置作業が容易であり、レールの数を少なくし製造コストを抑えることができ、かつタイルを強固に保持することができるタイル取り付け用金具を提供する。【解決手段】タイル取り付け用金具１００は、施工対象面にタイル状部材３０を取り付けるための金具であって、施工対象面に縦方向に取り付けられる長尺の取り付け部材本体１０と、この取り付け部材本体１０に設けられ、タイル状部材３０の裏面に互いに平行に形成された１対の溝３１、３２に嵌合してタイル状部材３０を支持する複数のクリップ２０とを備えている。【選択図】図１
0003206776.tif 000002
【実用新案登録請求の範囲】
【請求項１】
施工対象面にタイル状部材を取り付けるための金具であって、
前記施工対象面に縦方向に取り付けられる長尺の取り付け部材本体と、前記取り付け部材本体に設けられ、前記タイル状部材の裏面に互いに平行に形成された１対の溝に嵌合して前記タイル状部材を支持する複数のクリップとを備えていることを特徴とするタイル取り付け用金具。
【請求項２】
前記複数のクリップの各々は、前記取り付け部材本体の平面から略直交方向に立ち上がる互いに平行な１対の係合片を備えており、該１対の係合片は先端部が前記タイル状部材の前記１対の溝の断面に対応した断面形状を有していることを特徴とする請求項１に記載のタイル取り付け用金具。
【請求項３】
前記複数のクリップは前記取り付け部材本体とは別個に形成されており、前記複数のクリップの各々は、前記取り付け部材本体に装着された際に、該取り付け部材本体に重畳される基部と、該基部から略直交方向に立ち上がる互いに平行な前記１対の係合片とを備えていることを特徴とする請求項１又は２に記載のタイル取り付け用金具。
【請求項４】
前記取り付け部材本体は、前記縦方向に沿って設けられ、前記複数のクリップの前記１対の係合片がそれぞれ挿通する複数の開口部と、前記複数のクリップが係止する複数の係止部とを備え、
前記複数のクリップの各々の前記基部には前記複数の係止部の各々と係止する折り曲げ部が設けられていることを特徴とする請求項３に記載のタイル取り付け用金具。
【請求項５】
前記複数のクリップは、前記取り付け部材本体と一体的に形成されており、該取り付け部材本体の平面に平行な基部と、該基部から略直交方向に立ち上がる互いに平行な１対の係合片とを備えており、該１対の係合片は先端部が前記タイル状部材の前記１対の溝の断面に対応した断面形状を有していることを特徴とする請求項１又は２に記載のタイル取り付け用金具。
【請求項６】
前記複数のクリップの各々の前記１対の係合片は、先端部が互いに対向する略Ｓ字状断面を有していることを特徴とする請求項２又は５に記載のタイル取り付け用金具。
【請求項７】
前記複数のクリップの各々は、前記タイル状部材に装着された状態において、前記１対の係合片が前記タイル状部材の前記１対の溝を互いに離反する方向に押圧するように構成されていることを特徴とする請求項１から６のいずれか１項に記載のタイル取り付け用金具。
【請求項８】
前記複数のクリップの各々の前記１対の係合片の先端部には、前記タイル状部材に装着される際に前記１対の係合片の端部を前記１対の溝内に案内するガイド部がそれぞれ設けられていることを特徴とする請求項１から７のいずれか１項に記載のタイル取り付け用金具。
【考案の詳細な説明】
【技術分野】
【０００１】
本考案は、建物等の施工対象壁面にタイル等のタイル状部材を固定するためのタイル取り付け用金具に関するものである。
【背景技術】
【０００２】
壁面にタイルを配置する工法として、従来は、壁面にモルタルや接着剤を塗布し、モルタル面にタイルを張り付ける湿式工法が一般的であったが、最近は、壁面に金属製のレールを配置し、タイルの裏足とレールとを嵌合して配置する乾式工法が広く普及している（例えば特許文献１）。
【０００３】
特許文献１に記載された乾式工法による壁構造は、建物の壁面に設けた水平方向のレールに金具付きタイルを嵌合することで、タイルを建物の壁面に取り付けるものでる。
【０００４】
この場合、金具付きタイルの背面には、左右に亘って直線状のスペースが設けられ、このスペース内には、嵌合金具が設けられ、この嵌合金具は上端から延設する上係合片と、下端から延設する下係合片とを有している。レールは、壁面に接する壁面固定部と、壁面固定部の上端から壁面を離れる方向に延設するとともに端部を上方に折曲して形成する上係止部と、壁面固定部の下端から壁面を離れる方向に延設するとともに端部を下方に折曲して形成する下係止部とからなる。また、レールの下係止部には、嵌合金具の下係合片の幅よりも大きな切り欠きを設けられている。
【０００５】
金具付きタイルを配置する際に、レールの上係止部に嵌合金具の上係合片を係止させた後、レールの切り欠きに嵌合金具の下係合片を嵌め込み、金具付きタイルを横方向に摺動して、下係止部に下係合片を係止させることで、レールと金具付きタイルの嵌合金具とを嵌合することができる。
【先行技術文献】
【特許文献】
【０００６】
【特許文献１】特開２０１４−２０１８７７号公報
【考案の概要】
【考案が解決しようとする課題】
【０００７】
しかしながら、この特許文献１に記載の金具付きタイルを用いた壁構造は、金具付きタイルを配置する際に、嵌合金具の下係合片とレールの切り欠きとを位置合わせし、嵌め込み後金具付きタイルを横方向に摺動することが必要であるため、配置作業は繁雑で、時間がかかるという問題点があった。
【０００８】
また、特許文献１に記載の金具付きタイルを用いた壁構造は、タイルの裏面に金具をあらかじめ装着しておく必要があるため、タイル製造に余分な手間がかかるという問題点を有していることのみならず、建物の壁面にレールを水平方向に設けることで、レールを多数設ける必要があるため、製造コストが高いという問題点を有していた。
【０００９】
従って、本考案は従来技術の上述した問題点を解消するものであり、本考案の目的は、タイルの製造及び配置作業が容易であり、レールの数を少なくし製造コストを抑えることができ、かつタイルを強固に保持することができるタイル取り付け用金具を提供することにある。
【課題を解決するための手段】
【００１０】
本考案によれば、タイル取り付け用金具は、施工対象面にタイル状部材を取り付けるための金具であって、施工対象面に縦方向に取り付けられる長尺の取り付け部材本体と、この取り付け部材本体に設けられ、タイル状部材の裏面に互いに平行に形成された１対の溝に嵌合してタイル状部材を支持する複数のクリップとを備えている。
【００１１】
取り付け部材本体が施工対象面に縦方向に取り付けられ、この取り付け部材本体にはタイル状部材の裏面に互いに平行に形成された１対の溝に嵌合してタイル状部材を支持する複数のクリップが設けられている。これにより、タイル状部材の裏面に設けられた１対の溝にクリップを押し込むだけでタイル状部材が取り付けられるため、タイルの配置作業が非常に容易となり、しかも、タイル状部材の製造自体が簡単となる。また、熟練の技術が必要なく、初めての施工者でも正確かつ迅速に施工できる。さらに、取り付け部材本体が施工対象面に縦方向に設置することにより、従来のレールを横に取り付けるタイプよりも位置合わせが容易になり、かつ必要とされる取り付け部材本体（レール）の数を少なく、製造コストを抑えることができる。レールの数が少なくなれば、これらレールを施工対象面に固定するアンカーボルトの数も少なくなり、その分、コストが低減することのみならず、施工対象面を痛めることがない。さらに、レールを縦方向に設置することにより、従来の横方向設置の場合に問題となっていたタイル状部材の間隙から後方のレールが見えてしまうという不都合も解消される。
【００１２】
複数のクリップの各々は、取り付け部材本体の平面から略直交方向に立ち上がる互いに平行な１対の係合片を備えており、これら１対の係合片は先端部がタイル状部材の１対の溝の断面に対応した断面形状を有していることが好ましい。この場合、複数のクリップの各々の１対の係合片は、先端部が互いに対向する略Ｓ字状断面を有していることがより好ましい。このように、１対の係合片の端部が互いに対向する略Ｓ字状断面を有しているため、この部分でタイル状部材の１対の溝（裏足）の寸法誤差を吸収することができ、タイル状部材を確実に保持することができる。さらに、クリップが取り付け部本体と別個に形成される場合には、クリップのみを弾性を有する金属板材で製作すれば良いため製造コストを抑えることができ、かつタイル状部材を強固に保持することができる。
【００１３】
複数のクリップは取り付け部材本体とは別個に形成されており、複数のクリップの各々は、取り付け部材本体に装着された際に、取り付け部材本体に重畳される基部と、基部から略直交方向に立ち上がる互いに平行な１対の係合片とを備えていることも好ましい。
【００１４】
この場合、取り付け部材本体は、縦方向に沿って設けられ、複数のクリップの１対の係合片がそれぞれ挿通する複数の開口部と、複数のクリップが係止する複数の係止部とを備え、複数のクリップの各々の基部には複数の係止部の各々と係止する折り曲げ部が設けられていることがより好ましい。
【００１５】
複数のクリップは、取り付け部材本体と一体的に形成されており、取り付け部材本体の平面に平行な基部と、基部から略直交方向に立ち上がる互いに平行な１対の係合片とを備えており、１対の係合片は先端部がタイル状部材の１対の溝の断面に対応した断面形状を有していることも好ましい。この場合、複数のクリップの各々の１対の係合片は、先端部が互いに対向する略Ｓ字状断面を有していることがより好ましい。このように、１対の係合片の端部が互いに対向する略Ｓ字状断面を有しているため、この部分でタイル状部材の１対の溝（裏足）の寸法誤差を吸収することができ、タイル状部材を確実に保持することができる。
【００１６】
複数のクリップの各々は、タイル状部材に装着された状態において、１対の係合片がタイル状部材の１対の溝を互いに離反する方向に押圧するように構成されていることも好ましい。これにより、タイル状部材を取り付ける際に、このタイル状部材をクリップに押し込むことが容易になり、かつタイル状部材をより強固に保持することができる。
【００１７】
複数のクリップの各々の１対の係合片の先端部には、タイル状部材に装着される際に１対の係合片の端部を１対の溝内に案内するガイド部がそれぞれ設けられていることも好ましい。これにより、タイル状部材を取り付ける際に、クリップの係合片の先端部がタイル状部材の裏面の溝にスムーズに進入することができる。
【考案の効果】
【００１８】
本考案によれば、タイル状部材の裏面に設けられた１対の溝にクリップを押し込むだけでタイル状部材が取り付けられるため、タイルの配置作業が非常に容易となり、しかも、タイル状部材の製造自体が簡単となる。また、熟練の技術が必要なく、初めての施工者でも正確かつ迅速に施工できる。さらに、取り付け部材本体が施工対象面に縦方向に設置することにより、従来のレールを横に取り付けるタイプよりも位置合わせが容易になり、かつ必要とされる取り付け部材本体（レール）の数を少なく、製造コストを抑えることができ、かつタイル状部材を強固に保持することができる。レールの数が少なくなれば、これらレールを施工対象面に固定するアンカーボルトの数も少なくなり、その分、コストが低減することのみならず、施工対象面を痛めることがない。さらに、レールを縦方向に設置することにより、従来の横方向設置の場合に問題となっていたタイル状部材の間隙から後方のレールが見えてしまうという不都合も解消される。
【図面の簡単な説明】
【００１９】
【図１】本考案の一実施形態におけるタイル取り付け用金具の構成を概略的に示す斜視図である。
【図２】タイル取り付け用金具の取り付け部材本体及びクリップの構成を概略的に示す斜視図である。
【図３】タイル取り付け用金具の構成を概略的に示す断面図である。
【図４】タイル取り付け用金具を用いてタイル状部材を壁面に取付ける動作の一例を概略的に示す図である。
【図５】タイル取り付け用金具を用いたタイル状部材の取付けの一例を概略的に示す平面図である。
【図６】タイル取り付け用金具の他の構成例を概略的に示す斜視図である。
【図７】タイル取り付け用金具を用いたタイル状部材の取付けの他の例を概略的に示す平面図である。
【図８】タイル取り付け用金具を用いてタイル状部材を壁面に取付ける動作の他の例を概略的に示す図である。
【考案を実施するための形態】
【００２０】
以下、本考案に係るタイル取り付け用金具の実施形態を、図を参照して説明する。
【００２１】
図１は本考案の一実施形態におけるタイル取り付け用金具１００の構成を示している。図２はこのタイル取り付け用金具１００の取り付け部材本体１０及びクリップ２０の構成を示している。図３はタイル取り付け用金具１００のＡ−Ａ線断面を示しており、図４はタイル取り付け用金具１００を用いてタイル状部材３０を固定する動作の一例を示しており、図５はタイル取り付け用金具を用いたタイルの取付け一例を示している。
【００２２】
図１〜図５に示すように、本実施形態におけるタイル取り付け用金具１００は、取り付け部材本体１０と、クリップ２０とを備えている。対応するタイル状部材３０は、裏面に所定間隔に１対の溝３１及び３２が設けられている。この１対の溝３１及び３２は、開口部よりも内部が拡大するように形成されている。本実施形態において、取り付け部材本体１０と、クリップ２０とは別体に形成されている。
【００２３】
取り付け部材本体１０は、金属板材をプレス加工することにより長尺の平板状の基部１０ａと、この基部１０ａの長手方向の両側に形成され基部１０ａから垂直方向に立ち上がるエッジ部１０ｂとを備え、全体的にコ字形状断面を有するように形成されている。また、基部１０ａの長手方向の両側においてエッジ部１０ｂの内側には、基部１０ａから垂直方向に突起する２条のリブが形成されている。これにより、取り付け部材本体１０の強度が増強されている。
【００２４】
この取り付け部材本体１０は、施工対象面である壁面に縦方向に取り付けられ、複数のクリップ２０によって複数のタイル状部材３０を支持するように構成されている。具体的には、この取り付け部材本体１０の基部１０ａに、複数のクリップ２０の複数対の係合片２２ａ及び２２ｂをそれぞれ挿通するための複数対の開口部１１と、複数のクリップ２０をそれぞれ係止するための複数の係止部１２とが長手方向に沿って設けられている。各係止部１２は各対の開口部１１の間に設けられている。開口部１１は矩形形状の貫通穴であり、係止部１２は長円形状の貫通穴である。係止部１２の上下方向の縁端には、クリップ２０の折り曲げ部（係止爪）が折り曲げられて係止固定されるように構成されており、係止部１２の中央には、壁面に設けたアンカーボルトＢを挿通して、ナットにより、係止部１２が係止されている取り付け部材本体１０を壁面に固定できるように構成されている。
【００２５】
クリップ２０は、例えば、ばね鋼による平板からプレス加工によって形成されており、取り付け部材本体１０に重畳される基部２１と、この基部２１から略直交方向に立ち上がる互いに平行な１対の係合片２２ａ及び２２ｂとを備えている。１対の係合片２２ａ及び２２ｂは先端部がタイル状部材３０の１対の溝３１及び３２の断面に対応した断面形状、即ち、互いに対向する略Ｓ字状断面を有している。クリップ２０の基部２１には、取り付け部材本体１０の係止部１２とほぼ同様な長円形状を有する貫通穴２１ａが設けられ、この貫通穴２１ａの上下の両端縁には、取り付け部材本体１０の係止部１２に係止される１対の折り曲げ部２３がそれぞれ形成されている。クリップ２０を取り付け部材本体１０に装着する際は、１対の折り曲げ部２３を上下にそれぞれ折り曲げて貫通穴２１ａの上下の端縁に係止することで、クリップ２０はその基部２１と取り付け部材本体１０の基部１０ａとが重畳された状態で、取り付け部材本体１０に装着される。上述したように、１対の係合片２２ａ及び２２ｂは先端部が互いに対向する略Ｓ字状断面を有しているが、この略Ｓ字状断面は基部２１に近い側（基部側）の湾曲部が遠い側（先端側）の湾曲部より大きい曲率半径を有するように形成されている。大きい曲率半径の基部側の湾曲部はタイル状部材３０の裏面に当接する当接面２４を構成しており、小さい曲率半径の先端側の湾曲部は外側へ湾曲して、タイル状部材３０が取り付けられ際に１対の係合片２２ａ及び２２ｂの端部を１対の溝３１及び３２へそれぞれ案内するガイド部２５を構成している。
【００２６】
図１及び図４に示すように、タイル状部材３０は、その裏面に所定間隔をもって形成された１対の溝３１及び３２を有している。これら１対の溝３１及び３２は、タイル状部材３０の長さ方向（タイル状部材３０を取り付けた後の水平方向）と平行に形成されている。これら１対の溝３１及び３２の各々は、その開口部の径よりも内部の径が大きい断面形状を有している。特に、上側（タイル状部材３０を取り付けた後の上側）の溝３１の下側内面３１ａは、上方へ突出する凸部を構成しており、下側（タイル状部材３０を取り付けた後の下側）の溝３２の上側内面３２ａは、下方へ突出する凸部を構成している。これら凸部に、クリップ２０の１対の係合片２２ａ及び２２ｂの大きい曲率半径の湾曲部が押圧係合することにより、タイル状部材３０がクリップ２０にしっかりと取り付けられる。なお、タイル状部材３０の中央部（溝３１と３２の間）には凹部が形成されている。この凹部は、取り付け部材本体１０を壁面に固定するアンカーボルトＢ先端の逃げ部にもなる。図１では、タイル状部材３０が１本の取り付け部材本体１０に取り付けられるかのように表されているが、本実施形態では、実際には、各タイル状部材３０について２本の取り付け部材本体１０に取り付けられるように構成されている（図５参照）。
【００２７】
図４はタイル取り付け用金具１００を用いてタイル状部材３０を壁面に取付ける動作、特に下側から順次取り付ける例を示している。同図に示すように、タイル取り付け用金具１００は、壁面に設けたアンカーボルトＢにより壁面に固定されている。タイル状部材３０を取り付ける際は、クリップ２０の片側の係合片２２ｂにタイル状部材３０の下側の溝３２に係合させ、同図中の矢印の方向にタイル状部材３０を押し込むことで、係合片２２ａがガイド部２５によりガイドされ、上側の溝３１に進入し係合するようになる。これにより、タイル状部材３０を簡単に取り付け用金具１００に装着することができる。
【００２８】
図５はタイル取り付け用金具１００を用いたタイル状部材３０の取付けの一例を概略的に示している。この例では、各タイル状部材３０を狭間隔で互いに平行に固定した２つのタイル取り付け用金具１００に取り付けている。同図から明らかのように、１つのタイル状部材３０の両端部がそれぞれタイル取り付け用金具１００に２カ所留めで固定されているため、タイル状部材３０をより安定的に確実に取り付けることができる。
【００２９】
以上説明したように本実施形態のタイル取り付け用金具１００は、長尺の取り付け部材本体１０と、複数のクリップ２０とを備えている。取り付け部材本体１０が例えば壁面である施工対象面に縦方向に取り付けられ、この取り付け部材本体１０に装着された複数のクリップ２０によって複数のタイル状部材３０が支持される。即ち、各クリップ２０は、タイル状部材３０の裏面に互いに平行に形成された１対の溝３１及び３２に嵌合してこのタイル状部材３０を支持する。各クリップ２０は、取り付け部材本体１０に装着された際に、この取り付け部材本体１０に重畳される基部２１と、この基部２１から略直交方向に立ち上がる互いに平行な１対の係合片２２ａ及び２２ｂとを備えている。これら１対の係合片２２ａ及び２２ｂは、先端部がタイル状部材３０の１対の溝３１及び３２の断面に対応した断面形状を有している。具体的には、先端部が互いに対向する略Ｓ字状断面を有している。
【００３０】
このように、各クリップ２０における１対の係合片２２ａ及び２２ｂの略Ｓ字状断面の大きい曲率半径の湾曲部が、タイル状部材３０の１対の溝３１及び３２の凸部に押圧係合することにより、タイル状部材３０がクリップ２０に確実かつ堅固に取り付けられる。また、１対の係合片２２ａ及び２２ｂがタイル状部材１０の１対の溝３１及び３２を互いに離反する方向に押圧するように構成されているため、タイル状部材３０をクリップ２０に押し込むだけで取り付けができ、従って、タイル状部材３０の配置作業が非常に簡単で、熟練の技術が必要なく、初めての施工者でも正確かつ迅速に施工できるのみならず、タイル状部材をより強固に保持することができる。さらに、取り付け部材本体１０が施工対象面に縦方向に設置されるので、従来のレールを横に取り付けるタイプよりも位置合わせが容易になり、かつ必要とされる取り付け部材本体（レール）１０の数を少なく、製造コストを抑えることができ。さらにまた、１対の係合片２２ａ及び２２ｂの端部に形成された略Ｓ字状断面の部分が、タイル状部材３０の１対の溝（裏足）３１及び３２の寸法誤差を吸収することができるので、この点からもタイル状部材３０を確実に保持することができる。
【００３１】
取り付け部材本体１０と複数のクリップ２０とは別個に形成され、取り付け部材本体１０には、複数のクリップ２０の１対の係合片２２ａ及び２２ｂをそれぞれ挿通するための複数の開口部１１と、複数のクリップ２０が係止する複数の係止部１２とを備えている。各クリップ２０の基部２１には、取り付け部材本体１０の各係止部１２と係止する折り曲げ部２３が設けられている。取り付け部材本体１０とクリップ２０とを別個に形成しているので、クリップ２０のみを高価なばね鋼で作製することができ、製造コストを抑えることができる。また、クリップ２０をばね鋼で形成して弾性を持たせることにより、タイル状部材３０を強固に保持することができる。
【００３２】
各クリップ２０の１対の係合片２２ａ及び２２ｂの先端部には、タイル状部材３０が装着される際にそれら先端部を１対の溝３１及び３２にそれぞれ案内するガイド部２５が設けられている。これにより、タイル状部材３０を装着する際に、クリップ２０の係合片２２ａ及び２２ｂをタイル状部材３０の裏面溝３１及び３２にスムーズに進入させることができる。
【００３３】
さらに、ガイド部２５は、略Ｓ字型に形成された端部の一部からなることで、加工が容易にできる。
【００３４】
なお、上述した実施形態におけるタイル取り付け用金具１００では、取り付け部材本体１０と複数のクリップ２０とが別個に作製されているが、本考案はこれに限定されるものではない。例えば、図７に示すように、取り付け部材本体１０Ａと複数のクリップ２０Ａとを最初から一体的に形成しても良い。
【００３５】
図６はタイル取り付け用金具１００Ａの他の構成を示している。同図に示すように、タイル取り付け用金具１００Ａは、取り付け部材本体１０Ａと複数のクリップ２０Ａとが最初から一体的に形成されている。即ち、取り付け部材本体１０Ａの平面である基部１０ａに１対の切り込み部１１Ａを設け、これら１対の切り込み部１１Ａによって切り込まれた部分を取り付け部材本体１０Ａの平面（基部１０ａ）から略直交方向に立ち上げるように折り曲げ、互いに平行な１対の係合片２２ａ及び２２ｂを形成することで、各クリップ２０Ａが構成される。これにより、取り付け部材本体へのクリップの装着工程が不要となり、製作工程が少なくなる。本実施形態のその他の構成及び作用効果は図１〜図６の実施形態の場合と同様である。
【００３６】
図７はタイル取り付け用金具を用いたタイル状部材の取付けの他の例を概略的に示している。前述の実施形態においては、各タイル状部材３０が２つのタイル取り付け用金具１００に取り付けられているが、図７に示すように、各タイル状部材３０を１つのタイル取り付け用金具１００に取り付けても良い。この場合、タイル状部材３０の中央部をタイル取り付け用金具１００に取り付けることになり、必要なタイル取り付け用金具１００の数が少なくて済む。
【００３７】
図７に示すように各タイル状部材３０を１つのタイル取り付け用金具１００に取り付ける場合、タイル状部材３０は図４に示したように下側から順次取り付けるか、又は図８に示すように上側から順次取り付けても良い。
【００３８】
図８はタイル取り付け用金具１００を用いてタイル状部材３０を壁面に取付ける動作、特に上側から順次取り付け例を示している。同図に示すように、タイル状部材３０を取り付ける際は、クリップ２０の片側の係合片２２ａにタイル状部材３０の上側の溝３１に係合させ、同図中の矢印の方向にタイル状部材３０を押し込むことで、係合片２２ｂがガイド部２５によりガイドされ、下側の溝３２に進入し係合するようになる。これにより、タイル状部材３０を簡単に取り付け用金具１００に装着することができる。
【００３９】
なお、上述した図１〜図８の実施形態のタイル取り付け用金具１００において、各クリップ２０は、１対の折り曲げ部２３で取り付け部材本体１０に係止されているが、本考案はこれに限定されるものではない。例えば、溶接、ネジ止め等の方法を用いて複数のクリップ２０を取り付け部材本体１０に固着するように構成しても良い。
【００４０】
さらに、上述した図１〜図８の実施形態のタイル取り付け用金具１００において、取り付け部材本体１０は、金属板材から基部１０ａと両側のエッジ部１０ｂとを備え、全体的にコ字形状断面を有するように形成されているが、本考案はこれに限定されるものではない。例えば、所定強度を有する帯状板材を用いても良い。
【００４１】
さらにまた、上述した図１〜図８の実施形態のタイル取り付け用金具１００において、タイル状部材３０は、建物の外壁を装飾用タイルである例を説明したが、本考案はこれに限定されるものではない。タイル状部材は、タイル以外のもの、例えばパネル等の化粧材をも含んでいる。
【００４２】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００４３】
１０、１０Ａ  取り付け部材本体
１０ａ、２１  基部
１０ｂ  エッジ部
１１  開口部
１１Ａ  切り込み部
１２  係止部
２０、２０Ａ  クリップ
２１ａ  貫通穴
２２ａ、２２ｂ  係合片
２３  折り曲げ部
２４  当接面
２５  ガイド部
３０  タイル状部材
３１、３２  溝
３１ａ  下側内面
３２ａ  上側内面
１００、１００Ａ  タイル取り付け用金具
Ｂ  アンカーボルト
【図１】
0003206776.tif 000003
【図２】
0003206776.tif 000004
【図３】
0003206776.tif 000005
【図４】
0003206776.tif 000006
【図５】
0003206776.tif 000007
【図６】
0003206776.tif 000008
【図７】
0003206776.tif 000009
【図８】
0003206776.tif 000010
【手続補正書】
【提出日】平成28年8月3日(2016.8.3)
【手続補正１】
【補正対象書類名】実用新案登録請求の範囲
【補正対象項目名】全文
【補正方法】変更
【補正の内容】
【実用新案登録請求の範囲】
【請求項１】
施工対象面にタイル状部材を取り付けるための金具であって、
前記施工対象面に縦方向に取り付けられる長尺の取り付け部材本体と、前記取り付け部材本体に設けられ、前記タイル状部材の裏面に互いに平行に形成された１対の溝に嵌合して前記タイル状部材を支持する複数のクリップとを備えていることを特徴とするタイル取り付け用金具。
【請求項２】
前記複数のクリップの各々は、前記取り付け部材本体の平面から略直交方向に立ち上がる互いに平行な１対の係合片を備えており、該１対の係合片は先端部が前記タイル状部材の前記１対の溝の断面に対応した断面形状を有していることを特徴とする請求項１に記載のタイル取り付け用金具。
【請求項３】
前記複数のクリップは前記取り付け部材本体とは別個に形成されており、前記複数のクリップの各々は、前記取り付け部材本体に装着された際に、該取り付け部材本体に重畳される基部と、該基部から略直交方向に立ち上がる互いに平行な前記１対の係合片とを備えていることを特徴とする請求項２に記載のタイル取り付け用金具。
【請求項４】
前記取り付け部材本体は、前記縦方向に沿って設けられ、前記複数のクリップの前記１対の係合片がそれぞれ挿通する複数の開口部と、前記複数のクリップが係止する複数の係止部とを備え、
前記複数のクリップの各々の前記基部には前記複数の係止部の各々と係止する折り曲げ部が設けられていることを特徴とする請求項３に記載のタイル取り付け用金具。
【請求項５】
前記複数のクリップは、前記取り付け部材本体と一体的に形成されており、該取り付け部材本体の平面に平行な基部と、該基部から略直交方向に立ち上がる互いに平行な１対の係合片とを備えており、該１対の係合片は先端部が前記タイル状部材の前記１対の溝の断面に対応した断面形状を有していることを特徴とする請求項１又は２に記載のタイル取り付け用金具。
【請求項６】
前記複数のクリップの各々の前記１対の係合片は、先端部が互いに対向する略Ｓ字状断面を有していることを特徴とする請求項２又は５に記載のタイル取り付け用金具。
【請求項７】
前記複数のクリップの各々は、前記タイル状部材に装着された状態において、前記１対の係合片が前記タイル状部材の前記１対の溝を互いに離反する方向に押圧するように構成されていることを特徴とする請求項２から６のいずれか１項に記載のタイル取り付け用金具。
【請求項８】
前記複数のクリップの各々の前記１対の係合片の先端部には、前記タイル状部材に装着される際に前記１対の係合片の端部を前記１対の溝内に案内するガイド部がそれぞれ設けられていることを特徴とする請求項２から７のいずれか１項に記載のタイル取り付け用金具。